(57)【要約】【課題】水底自噴メタンガスの多量噴出孔の変動に対応して効率よく多量の水底自噴メタンガスを捕集する。【解決手段】水底面に間隔を隔てて一対の係留シンカー２０，２１と、その一対の係留シンカー間に架け渡した捕集容器移動ガイド用ケーブル２２を備え、捕集容器Ａにはその重心より上側に、水底において捕集容器を浮上させるだけの浮力を有する浮力体１０と下側に連結させた捕集容器連繋部材２７とを備え、捕集容器連繋部材を介して捕集容器Ａを捕集容器移動ガイド用ケーブル２２に支持させ、捕集容器移動ガイド用ケーブルに沿って捕集容器を移動させる水平移動機構２６を備え、捕集容器Ａ内に噴出した水底自噴メタンガスを、該捕集容器の上端部内に開口させた捕集容器内捕集ガス導出口１１より捕集ガス導出用通路１３を通して船上に導出する。【選択図】図1
2017197915.tif 000002
【特許請求の範囲】
【請求項１】
水底自噴メタンガスが自噴している水底のメタンガス噴出口の上側を覆うための下側が解放した逆さカップ状の捕集容器を有し、
該捕集容器内に噴出した水底自噴メタンガスを、該捕集容器の上端部内に開口させた捕集容器内捕集ガス導出口より捕集ガス導出用通路を通して船上に導出するようにした水底自噴メタンガス捕集装置において、
水底面に間隔を隔てて一対の係留シンカーと、その一対の係留シンカー間に架け渡した捕集容器移動ガイド用ケーブルとを備え、
前記補修容器にはその重心より上側に、水底において該捕集容器を浮上させるだけの浮力を有する浮力体が備えられているとともに、該捕集容器はその下側に連結させた前記捕集容器連繋部材を介して前記捕集容器移動ガイド用ケーブルに支持され、
該捕集容器移動ガイド用ケーブルに繋がれて浮上が阻止された状態で前記シンカー間を移動させる水平移動機構を備えたことを特徴とする水底自噴メタンガス捕集装置。
【請求項２】
前記水平移動機構は前記捕集容器連繋部材に連結され、前記捕集容器移動ガイド用ケーブルを伝って移動させる自走式の水平移動機構を備えた移動ガイドをもって構成した請求項１に記載の水底自噴メタンガス捕集装置。
【請求項３】
前記水平移動機構は、前記捕集容器移動ガイド用ケーブルに対してその長さ方向に移動可能に支持された移動ガイドを有し、該移動ガイドと前記各係留シンカーとの間に張設した移動操作用ロープの巻き取り繰り出し操作によって捕集容器移動ガイド用ケーブルに沿って動作されるようにした請求項１に記載の水底自噴メタンガス捕集装置。
【請求項４】
前記一対の係留シンカーには、水面に浮かべたブイに至るシンカー移動操作用ロープが連結されている請求項1〜３の何れか１に記載の水底自噴メタンガス捕集装置。
【発明の詳細な説明】
【技術分野】
【０００１】
本発明は水底面から噴出している水底自噴メタンガスを捕集する水底自噴メタンガス捕集装置に関する。
【背景技術】
【０００２】
近年、水底地盤の表層や地盤内のメタンハイドレート（Ｍethane hydrate）埋蔵箇所の水底面から自噴しているメタンガスの採取技術の開発がなされている。
【０００３】
メタンハイドレートは、水分子に閉じ込められた水底自噴メタンガスが、海底地盤表面や地盤中の各種の深さで条件が揃うと水と共に凍り、氷塊となって水底地盤の深層部や表層又はその中間深さ位置に存在するものであり、このメタンハイドレートの安定条件、即ち安定化を維持するための温度及び圧力の条件を崩すことによって氷塊から水底自噴メタンガスを分離して取り出すことができる。
【０００４】
しかし、３００ｍ〜１０００ｍもの深さの水底面を掘削し、水底地盤表面や地盤内の深さ１０００ｍもの深さに存在するメタンハイドレートを不安定化させる水底自噴メタンガスの採掘は、他の化石燃料の代替とするには採掘コストがかかり過ぎ、実現化が困難な状況となっている。
【０００５】
また、メタンハイドレートの埋蔵個所には、水底地盤表面からメタンガスが噴出し、高さ数百ｍにも達する水底自噴メタンガス気泡の上昇柱（メタンプルーム）が発生していることが知られている。
【０００６】
このような、海底から噴出する水底自噴メタンガスを水底面付近で捕集し、パイプを通して水面上の船舶に導き、ガスタンクに注入するようにした水底自噴メタンガスの採取方法が開発されている。この技術には、水面上の作業船より剛性のあるパイプを順次連結しながら垂下させ、その先端に傘状の捕捉器を固定しておき、これを水底自噴メタンガス噴出口上に位置させ、捕捉器内に上昇してくる水底自噴メタンガスを捕捉し、パイプを通して作業船上に導き、加圧タンク内に加圧注入しようとするもの（特許文献１）がある。
【０００７】
また、水底の表層に存在しているメタンハイドレートからメタンガスを採取するものとして、ドーム状のシートで水底表層のメタンハイドレートを覆い、その中に温水を供給することによって水底表面のメタンハイドレートを不安定化させ、これによって浮上するメタンガスをドーム状のシート内に捕集し、これを水上へ輸送管を通して送り出すようにしたもの（特許文献２）がある。
【０００８】
上述した特許文献１に示されているメタンプルームからのガス捕集技術では、水面上の作業船から水底面の水底自噴メタンガスが噴出している個所まで剛性のある鋼管を垂下する必要があり、しかもガス捕集中においても捕捉器を、水上の船舶から鋼管を通じてガス自噴口上に保持させなければならない。しかし、通常メタンプルームの水深は３００ｍから１０００ｍ以上もの深さにあるため、捕集容器を予定の位置まで到達させ、しかもその位置で停止させて置く作業に困難を伴う。
【０００９】
近年においては、水底面上の一定の位置に船舶を停止させ、数千ｍの海底地盤に数千ｍものボーリングを行う技術や数千ｍもの水底で作業を行う無人の潜水艇が開発されているが、これらは極めて高精度で高性能の技術を結集したものであり、その使用コストが多大となり、メタンプルームからのガス採取に使用するのでは、捕集した水底自噴メタンガスが既存の化石燃料に比べて高価なものとなり、採算が取れないという問題がある。
【００１０】
また、特許文献２に示されている方法は、水底のメタンハイドレートの表面をシートで覆いその中に温水を供給することによって水底自噴メタンガスを氷塊から分離させ、これをドーム状のシート内に捕集しようとするものであり、自噴しているメタンハイドレートからの水底自噴メタンガス捕集に使用するには、自噴ガスの状態や、海流の状況によって設置が困難となる場合が多いという問題がある。
【００１１】
このような従来の問題を解決するものとして、本発明者は先に、下端が解放され上端が閉じられた逆さカップ状の捕集容器を使用し、該捕集容器には、内部の空気容積を変化させることによって浮力を調整するようにした浮力調用空洞部を有する浮力調整装置と、捕集容器を水平移動させる推進装置とを備えておき、浮力調用空洞部内への注排水によって浮力を調整しつつ推進装置を作動させて捕集容器を所定の沈設位置に沈め自噴水底自噴メタンガスを内部に取り込み捕集ガス導出用パイプを通じて船上に導出させるようにした装置を提案した（特許文献３）。
【先行技術文献】
【特許文献】
【００１２】
【特許文献１】特開２０１４−２０１８７５号公報
【特許文献２】特開２０００−２８２７７５号公報
【特許文献３】特許第５７７１７６２号公報
【発明の開示】
【発明が解決しようとする課題】
【００１３】
上述した従来の水底自噴メタンガス捕集方法は、何れも捕集容器水底のメタンガス噴出部分の上側を覆うように固定的に設置しているものであるが、通常、水底自噴メタンガスの噴出部位は、広範に亘る場合が多く、しかも自噴量の多い噴出口から長期間に亘って継続して噴出しているとは限らず、不定期に噴出量の変動があったり、多量噴出箇所が変化したりする場合があることが判明している。
【００１４】
このような多量噴出箇所が変化するような場所において、従来のように捕集容器を固定的に設置する方法では、捕集効率を上げるために広範囲に亘って水底を覆う大型の捕集容器を使用する必要がある。しかし、深海での大型の捕集容器の設置はコスト高となり、他の化石燃料と比較すると採算的に不利となるという問題がある。
【００１５】
本発明はこのような問題に鑑み、水底自噴メタンガス噴出孔が広範囲に分布し、多量噴出孔が変動するようなメタンプルーム発生個所においても、低廉なコストで、多量噴出孔の変動に対応して効率よく多量の水底自噴メタンガスを捕集することができる水底自噴メタンガス捕集装置の提供を目的としてなされたものである。
【課題を解決するための手段】
【００１６】
本発明に係る水底自噴メタンガス捕集装置の第１の特徴は、水底自噴メタンガスが自噴している水底のメタンガス噴出口の上側を覆うための下側が解放した逆さカップ状の捕集容器を有し、該捕集容器内に噴出した水底自噴メタンガスを、該捕集容器の上端部内に開口させた捕集容器内捕集ガス導出口より捕集ガス導出用通路を通して船上に導出するようにした水底自噴メタンガス捕集装置において、水底面に間隔を隔てて一対の係留シンカーと、その一対の係留シンカー間に架け渡した捕集容器移動ガイド用ケーブルとを備え、前記捕集容器にはその重心より上側に、水底において該捕集容器を浮上させるだけの浮力を有する浮力体が備えられているとともに、該捕集容器はその下側に連結させた前記捕集容器連繋部材を介して前記捕集容器移動ガイド用ケーブルに支持され、該捕集容器移動ガイド用ケーブルに繋がれて浮上が阻止された状態で前記シンカー間を移動させる水平移動機構を備えたことにある。
【００１７】
本発明の第２の特徴は、前記第１の特徴に加え、水平移動機構は前記捕集容器連繋部材に連結され、前記捕集容器移動ガイド用ケーブルを伝って移動させる自走式の水平移動機構を備えた移動ガイドをもって構成したことにある。
【００１８】
本発明の第３の特徴は、前記第１の特徴に加え、水平移動機構は、前記捕集容器移動ガイド用ケーブルに対してその長さ方向に移動可能に支持された移動ガイドを有し、該移動ガイドと前記各係留シンカーとの間に張設した移動操作用ロープの巻き取り繰り出し操作によって捕集容器移動ガイド用ケーブルに沿って動作されるようにしたことにある。
【００１９】
本発明の第４の特徴は、一対の係留シンカーには、水面に浮かべたブイに至るシンカー移動操作用ロープが連結されていることにある。
【発明の効果】
【００２０】
本発明は前記第１の特徴のように、水底自噴メタンガスが自噴している水底のメタンガス噴出口の上側を覆うための下側が解放した逆さカップ状の捕集容器を有し、該捕集容器内に噴出した水底自噴メタンガスを、該捕集容器の上端部内に開口させた捕集容器内捕集ガス導出口より捕集ガス導出用通路を通して船上に導出するようにした水底自噴メタンガス捕集装置において、水底面に間隔を隔てて一対の係留シンカーと、その一対の係留シンカー間に架け渡した捕集容器移動ガイド用ケーブルとを備え、前記捕集容器にはその重心より上側に、水底において該捕集容器を浮上させるだけの浮力を有する浮力体が備えられているとともに、該捕集容器はその下側に連結させた前記捕集容器連繋部材を介して前記捕集容器移動ガイド用ケーブルに支持され、該捕集容器移動ガイド用ケーブルに繋がれて浮上が阻止された状態で前記シンカー間を移動させる水平移動機構を備えたことにより、水底自噴メタンガス噴出孔が直線上に多数ありそのうちの多量噴出孔が変動するようなメタンプルーム発生個所においても、多量噴出孔の変動に対応して効率よく水底自噴メタンガスを捕集することができる。
【００２１】
本発明は前記第２の特徴のように、水平移動機構は前記捕集容器連繋部材に連結され、前記捕集容器移動ガイド用ケーブルを伝って移動させる自走式の水平移動機構を備えた移動ガイドをもって構成したことにより、簡易な装置によって捕集容器を捕集効率の良い位置に移動させることが出来る。
【００２２】
本発明は前記第３の特徴のように、水平移動機構は、前記捕集容器移動ガイド用ケーブルに対してその長さ方向に移動可能に支持された移動ガイドを有し、該移動ガイドと前記各係留シンカーとの間に張設した移動操作用ロープの巻き取り繰り出し操作によって捕集容器移動ガイド用ケーブルに沿って動作されるようにしたことにより、簡易な装置によって捕集容器を捕集効率の良い位置に移動させることが出来る。
【００２３】
本発明は前記第４の特徴のように、一対の係留シンカーには、水面に浮かべたブイに至るシンカー移動操作用ロープが連結されていることにより、捕集容器の移動が、捕集容器移動ガイド用ケーブルの長さ分の範囲のみならず、メインシンカーを中心にした、捕集容器移動ガイド用ケーブル長さを半径とする円内の全域に亘って捕集容器を移動させることができ、更に、両シンカーを共に移動させて別の領域における水底自噴メタンガスの捕集も可能となる。
【図面の簡単な説明】
【００２４】
【図１】本発明に係る水底噴出水底自噴メタンガス捕集装置の一実施例の概略を示す縦断面図である。
【図２】図１に示す装置における水平移動機構を示す断面図である。
【図３】同水平移動機構の他の例を示す断面図である。
【図４】図１に示す装置の沈降途中の状態を示す側面図である。
【図５】同上のメインシンカーが着底した状態を示す側面図である。
【図６】同上のメインシンカーが着底後のサブシンカー移動状態を示す側面図である。
【図７】同上の両シンカー着底後の捕集容器移動ガイド用ケーブルの引き張り状態を示す側面図である。
【図８】図１に示す装置における水底での捕集容器直線移動状態を示す側面図である。
【図９】同上のサブシンカーの円周方向移動状態を示す平面図である。
【図１０】図１に示す装置を複数水底に設置した場合の捕集容器移動範囲を示す平面図である。
【発明を実施するための最良の形態】
【００２５】
本発明の実施の形態を、実施例の図面に基づいて説明する。
【００２６】
図１は本発明に係る水底自噴メタンガス捕集装置の一実施例の概略構成を示している。図において符号Ａは捕集容器である。この捕集容器Ａは下側が解放した逆さカップ状を成しており、筒状をした周壁部１の上端が天端遮蔽部２で閉鎖され、下端側を解放した逆さカップ状をなし、その内部が水底自噴メタンガス捕集空間となっている。
【００２７】
周壁部１は可撓性の膜状材をもって構成されており、一例として、ポリエステル繊維やガラス繊維を材料としてシートに防水被覆を施した不透水性シートが使用できる。
【００２８】
周壁部１は、折り曲げ可能な膜状材４により筒状に形成されており、その周方向に向けて鋼棒や鋼線からなる補強線材３が、上下に所定の間隔を隔てて固定されている。この補強線材３は、所要数のリング状材を使用する他、１本の線材を螺旋状に形成したものであってもよく、これらは、周壁部１の表裏何れかに固定し、その外面を不透水性の防錆樹脂材で被覆して周壁部１と一体化させる他、補強線材３をその肉厚内に埋設し、その埋設部分を補強線材３の太さ分だけ肉厚に成形したもの、更には周壁部１を帆布又は合成樹脂膜などの膜状材４を２重にして構成し、その間に補強線材３を挟み込んで一体化させたもの等が使用できる。
【００２９】
このように膜状材４と補強線材３とによって構成された周壁部１は、膜状材４が補強線材３，３間で折り曲げ可能になっており、全体が周壁部軸方向に折り畳み可能な蛇腹状となっており、後述する設置工程において、蛇腹を折り畳んで高さを縮小させた状態で搬送できるようになっている。
【００３０】
天端遮蔽部２は、上側が小径のテーパ状に成形されている。この天端遮蔽部２は支持枠体６の下側に固定されている。この支持枠体６には、天端遮蔽部２の形状に対応した天端固定部７が形成され、これに天端遮蔽部２が固定されている。
【００３１】
支持枠体２は鋼材を縦横に組み合わせて形成されており、その上には浮力体１０が固定されている。浮力体１０としては、一例としてシンタクチックフォーム（syntactic foam）と称されている、ガラス・金属・高分子などでできた中空の微小球を樹脂で固めた、軽量かつ高強度の複合材料であって、従来深海調査船の浮力体として利用されている材料が利用でき、捕集容器Ａ及びこれに付随させた支持枠体６等の部材全体を浮上させることが出来る浮力を有するものを使用する。
【００３２】
捕集容器Ａの天端遮蔽部２の中央には捕集したメタンガスを導出するためのガス導出口１１が形成され、その上方に船上への捕集ガス導出用通路となるガス導出筒１２が連通されており、その上端に水面上の捕集船Ｂに通じた捕集ガス導出ホース１３が連結されている。
【００３３】
ガス導出筒１２内には、その下側からガスハイドレート被膜付気泡を強制排出させるためのオーガスクリュー１５が挿入されており、その中心軸１５ａが捕集容器Ａ内に支持させた駆動モーター１６によって回転されるようになっている。
【００３４】
即ち、水底面から噴出したメタンガスは、噴出位置が深海である場合、気体の状態で水底地盤中を上昇し、水底面のガス噴出口ａから噴出して水底の水と接触することによって、気泡の表面にハイドレート皮膜ができた粒状となる。このガスハイドレート被膜付気泡を、オーガスクリュー１５を回転させることによって強制排出させるようになっている。
【００３５】
また、天端遮蔽部２の内面にはガスハイドレート被膜付気泡の停滞を防止する電熱シート（図示せず）が貼り付けられている。この電熱シートとともに又は電熱シートの代わりとして、海面近くの表層水を、捕集ガス導出ホース１３に添わせた断熱性給水ホース１７を通して天端遮蔽部２下に供給するようにしてもよい。
【００３６】
捕集容器Ａの下端の下端部内側には、捕集容器Ａの下端開口を拡開させた状態に保持する開口部保形用補強材１８が固定されている。この開口部保形用補強材１８は、鋼材を円形に組み立てて構成したものの他、環状のチューブ状材内にモルタルを注入して膨張させることによって環状の形状を維持させるようにしたものが使用できる。
【００３７】
下端部保形用補強材１８に錘の役目を持たせ、浮力体１０による浮力と錘を兼用している下端部保形用補強材１８による重力とによって周壁部１が上下に引っ張られて伸長された状態で縦向きに維持されるようになっている。
【００３８】
水底には捕集容器Ａを所定位置にとどめるための一対の係留シンカー２０，２１が沈設されている。このシンカーは、その一方をメイン係留シンカー２０、他方をサブ係留シンカー２１とし、メイン係留シンカー２０は、サブ係留シンカー２１より重く形成されている。
【００３９】
両係留シンカー２０，２１間には捕集容器移動ガイド用ケーブル２２が張設されている。この捕集容器移動ガイド用ケーブル２２は、一端側がサブ係留シンカー２１の留め金２４に連結され、他端はメイン係留シンカー２０に備えたウインチ２５により巻き取り繰り出し可能に支持されており、両シンカー２０，２１を水底に沈設させた後、メイン係留シンカー２０のウインチ２５に捕集容器移動ガイド用ケーブル２２を巻き取ることによって捕集容器移動ガイド用ケーブル２２をそのたるみを取るか少なくした状態で両係留シンカー２０，２１間に張設している。
【００４０】
両係留シンカー２０，２１間に張設された捕集容器移動ガイド用ケーブル２２には、捕集容器Ａの水底での水平位置を変更させるための水平移動ガイド２３が組み付けられている。この水平移動ガイド２３は捕集容器移動ガイド用ケーブル２２を伝って移動するための水平移動ガイド２３を有し、この水平移動ガイド２３が捕集容器Ａの下端の下端部保形用補強材１８に取り付けた放射状配置の捕集容器連繋部材２７を介して捕集容器Ａの中央下側位置に取り付けられている。
【００４１】
水平移動ガイド２３には水平移動機構２６が備えられている。この水平移動機構２６は、図２に示すようにモーターによって回転駆動される駆動ローラ３０とこれに対して捕集容器移動ガイド用ケーブル２２を押し付ける加圧ローラ３１とを有しており、両ローラ３０，３１間に捕集容器移動ガイド用ケーブル２２を挟んで駆動ローラ３０を回転駆動させることによって水平移動ガイド２３が捕集容器移動ガイド用ケーブル２２に沿って移動するようになっている。尚、図において３２はガイドローラである。
【００４２】
上記のように捕集容器Ａは、その下側が捕集容器移動ガイド用ケーブル２２に繋ぎ止められて上側の浮力体１０による浮力が上向きに作用することによって、周壁部１が上下方向に伸長した上程が維持され、且つ中心軸線を上下に向けた状態で水底に係留されるようになっている。この状態で移動機構３０を作動させることによって捕集容器移動ガイド用ケーブル２２に沿って水平方向に移動されるようになっている。
【００４３】
尚、この他図３に示すように捕集容器移動ガイド用ケーブル２２に対して軸方向に移動自在な水平移動ガイド４０を使用し、これを両係留シンカー２０，２１のウインチ（図示せず）により巻き取り繰り出し可能にした移動操作用ロープ４３，４４を操作することにより水平移動させるようにしたものであってもよい。
【００４４】
両係留シンカー２０，２１には、それぞれ水面に浮かべたブイ（浮標）３３，３４に至るシンカー移動操作用ロープ３５，３６が連結されている。この各ロープ３５，３６を操作して各シンカー２０，２１を水底に沈め、後述する移動操作を行うようにしている。
【００４５】
次に上述した水底自噴メタンガス捕集装置の海底への設置について説明する。陸上の適宜制作ヤードにて捕集容器Ａ及びその天端部の支持枠体６、浮力体１０を組み立て、捕集容器Ａの下端に捕集容器連繋部材２７を介して装置本体２６を取り付け、周壁部１をその蛇腹を畳む方向に縮めた状態で作業用台船に搭載する。
【００４６】
作業用台船には、この他にメイン係留シンカー２０、サブ係留シンカー２１、捕集容器移動ガイド用ケーブル２２、ブイ（浮標）３３，３４、シンカー移動操作用ロープ３５，３６、ガス導出筒１２等、この水底自噴メタンガス捕集装置を構成するために必要な資材をともに搭載し、設置現場上まで曳航又は航行する。
【００４７】
設置現場では、メイン係留シンカー２０のウインチ２５に一端側を巻きつけた捕集容器移動ガイド用ケーブル２２を通し、その先端をサブ係留シンカー２１に固定する。この状態で捕集容器Ａを水面上に浮かべる。これによって捕集容器Ａは、図４に示すように下端の錘を兼用している下端部保形用補強材１８による下向きの重力と浮力体１０の上向きの浮力によって周壁部の蛇腹状が上下に引き伸ばされ、浮力体１０の浮力にて浮上した状態となる。
【００４８】
次いで、図４に示すように、メイン係留シンカー２０を支援クレーン船ｂのクレーン３８を使用して吊り上げるとともに、サブ係留シンカー２１を支援クレーン船ｃのクレーン３９を使用して吊り上げ、両シンカー２０，２１間に所定の間隔を持たせた状態で水底付近まで降下させる。この時、捕集ガス導出ホース１３を作業台船Ｂから順次繰り出しつつ降下させる。この時、捕集ガス導出ホース１３が水中での重量が浮力より大きい場合は、その分の浮力を補うための浮力体（図示せず）を一定間隔毎に固定して沈降させる。
【００４９】
次いで、予め水底探査装置を使用して調査したメタンガス噴出状況に応じ、最も効果的にガス捕集がなされる捕集容器設置位置近くに捕集容器Ａを沈降させるように、メイン係留シンカー２０を着底させる（図５に示す）。次いで図６に示すようにサブ係留シンカー２１を、捕集容器移動ガイド用ケーブル２２が複数のガス噴出孔ａの上を横切る配置となるように支援クレーン船ｃを操船して移動させ、且つ、サブ係留シンカー２１をメイン係留シンカー２０から離れる方向に移動させて着底させる。
【００５０】
両シンカー２０，２１の着底時には、捕集容器移動ガイド用ケーブル２２は、移動ガイド２６位置が最も高い山型に張られた状態となるが、図７に示すように両シンカー２０，２１の着底後、捕集容器移動ガイド用ケーブル２２がより直線に近づくようメイン係留シンカー２０のウインチ２５に捕集容器移動ガイド用ケーブル２２を巻き取らせる。
【００５１】
このようにして、捕集容器移動ガイド用ケーブル２２を所望の張力を持たせた状態に張設した後、水平移動ガイド２３の水平移動機構２６を作動させ、捕集容器Ａが最も効率よく水底自噴メタンガスを捕集する位置に移動させ、水底自噴メタンガスの捕集作業を継続させる。
【００５２】
この状態で水底自噴メタンガスの捕集の継続中において、多量に噴出しているガス噴出孔ａが捕集容器Ａ下より外れた位置に移動した際に、その移動が先に張設した捕集容器移動ガイド用ケーブル２２の下側近傍位置である場合には、移動ガイド２６の位置を移動させて捕集容器Ａが最も効率よくガス捕集できる位置に移動させる（図８に示す）。
【００５３】
更に、水底自噴メタンガスを多量に噴出する噴出孔の変動が、メイン係留シンカー２０を中心にして捕集容器移動ガイド用ケーブル２２を半径とした円内にある際には、シンカー移動操作用ロープ３６を支援クレーン船にて操作し、図９に示すようにサブ係留シンガー２１を、メイン係留シンカー２０を中心にした円形方向に移動させるとともに、前述と同様にシンカー移動操作用ロープ３６に沿って捕集容器Ａを移動させることにより、前記円内の全域における多量噴出孔の変動に対応できる。
【００５４】
更に、図１０に示すように複数の捕集容器Ａ，Ａ......を捕集容器移動ガイド用ケーブル２２の長さ分だけ離し、前述と同様にして水底に設置することにより、  広範に亘った噴出孔の変動に対しても対応することが出来る。
【００５５】
また、噴出孔が何れかのメイン係留シンカー２０を中心として前記円内に存在しなくなった場合には、両シンカー移動操作用ロープ３５，３６を操作して両係留シンカー２０，２１を共に移動又は回収してもよい。
【符号の説明】
【００５６】
Ａ  捕集容器
Ｂ  捕集船
ａ  ガス噴出口
ｂ，ｃ  支援クレーン船
１  周壁部
２  天端遮蔽部
３  補強線材
４  膜状材
６  支持枠体
７  天端固定部
１０  浮力体
１１  ガス導出口
１２  ガス導出筒
１３  捕集ガス導出ホース
１５  オーガスクリュー
１６  駆動モーター
１７  断熱性給水ホース
１８  開口部保形用補強材
２０  メイン係留シンカー
２１  サブ係留シンカー
２２  捕集容器移動ガイド用ケーブル
２３  水平移動ガイド
２４  留め金
２５  ウインチ
２６  水平移動機構
２７  捕集容器連繋部材
３０  駆動ローラ
３１  加圧ローラ
３２  ガイドローラ
３３，３４  ブイ（浮標）
３５，３６  シンカー移動操作用ロープ
３８，３９  クレーン
４０  水平移動ガイド
４３，４４  移動操作用ロープ
【図１】
2017197915.tif 000003
【図２】
2017197915.tif 000004
【図３】
2017197915.tif 000005
【図４】
2017197915.tif 000006
【図５】
2017197915.tif 000007
【図６】
2017197915.tif 000008
【図７】
2017197915.tif 000009
【図８】
2017197915.tif 000010
【図９】
2017197915.tif 000011
【図１０】
2017197915.tif 000012